(57)【要約】      （修正有）【課題】マーカーを移動させる必要無しに、またボールの有無にかかわらず、ユーザが意図したボールのパスを整合させ、または整合し直すことが可能になるゴルフボールマーカーを提供する。【解決手段】ゴルフボールマーカー１０は、幾何境界形状を具備し上面１４、底面を含む本体１２、弧状ボール位置基準１８と、複数の整合印２０とを含む。本体１２は、全体として、四角の周囲形状を伴い、上面１４および底面の間を伸びる複数の側壁２２により形成される厚さを有し、堅固な金属性または非金属性材料から構築されてよい。上面１４および底面は全体として平坦面である。上面１４は整合印２０を含み、底面は安定した接地プラットホームを形成してマーカー１０がパター面に置かれたときに安定するようになっている。【選択図】図１
2010022820.tif 000002
【特許請求の範囲】
【請求項１】
上面、底面、上記上面および上記底面の間を延びる側壁、ならびに上記上面を切断する凹んだ弧状面を具備する本体と、
上記凹んだ弧状面および上記上面の交差により形成される凹んだ弧状のボール位置基準と、
上記上面に配され、上記凹んだ弧状のボール位置基準から共通の距離だけ離間される複数の整合印とを有するボールマーカー。
【請求項２】
上記整合印は少なくとも１つの長尺の印を含む請求項１記載のボールマーカー。
【請求項３】
上記長尺の印は複数の整合されたマークを有する請求項２記載のボールマーカー。
【請求項４】
上記凹んだ弧状のボール位置基準は０．１８４ｃｍ（０．７２５インチ）から２．４８ｃｍ（０．９７５インチ）の範囲の曲率半径を伴う請求項１記載のボールマーカー。
【請求項５】
上記本体の境界形状は、四角、矩形および三角のうちの１つである請求項１記載のボールマーカー。
【請求項６】
上記本体は複数材料構造を有する請求項１記載のボールマーカー。
【請求項７】
上記整合印は相互に角度付けられている請求項１記載のボールマーカー。
【請求項８】
全体として幾何的な境界形状を伴い、上面を具備する本体と、
上記上面に隣接する弧状のボール位置基準と、
上記上面に配され、全体として上記弧状のボール位置基準に対して直角な少なくとも１つの長尺の整合印とを有するボールマーカー。
【請求項９】
上記本体は、上記上面と交差する少なくとも１つの凹んだ弧状面を含み、上記弧状のボール位置基準は上記上面および上記少なくとも１つの凹んだ弧状面の交差により形成される弧状のエッジである請求項８記載のボールマーカー。
【請求項１０】
上記凹んだ弧状のボール位置基準は０．１８４ｃｍ（０．７２５インチ）から２．４８ｃｍ（０．９７５インチ）の範囲の曲率半径を伴う請求項９記載のボールマーカー。
【請求項１１】
上記凹んだ弧状面は円筒面、錐体面、および球面のうちの１つである請求項９記載のボールマーカー。
【請求項１２】
上記整合印は、上記上面に配され、その各々は全体として上記弧状のボール位置基準に対して直角である請求項８記載のボールマーカー。
【請求項１３】
上記整合印は少なくとも３つの印を含む請求項１２記載のボールマーカー。
【請求項１４】
全体として幾何的な境界形状を伴い、上面と、上記上面から伸びゴルフボールに近接して配されるための側壁とを具備する本体と、
上記側壁に隣接する弧状のボール位置基準と、
上記上面に配され、全体として上記弧状のボール位置基準に対して直角な少なくとも１つの長尺の整合印とを有するボールマーカー。
【請求項１５】
整合印が上記上面に配され、上記整合印は、上記本体から遠ざかる方向に上記側壁から離間した焦点から放射される請求項１４記載のボールマーカー。
【請求項１６】
上記焦点は上記長尺の整合印の長手軸に沿って位置づけられる請求項１５記載のボールマーカー。
【請求項１７】
上記焦点は、０．１８４ｃｍ（０．７２５インチ）から２．４８ｃｍ（０．９７５インチ）の範囲の距離だけ上記側壁から離間される請求項１５記載のボールマーカー。
【発明の詳細な説明】
【技術分野】
【０００１】
この発明は全般的にはゴルフアクセサリに関し、より具体的にはゴルフボールマーカーに関する。
【背景技術】
【０００２】
ゴルフのラウンドの間、グリーンの上で自分の順番を待っているプレーヤや、例えば清掃や整合のために、グリーンの表面からボールを退けようとするプレーヤは、ボールのそばにボールマーカーを置いてその位置にボールを戻せるようにする。しばしば、プレーヤは小さな物、例えば、コインをボールマーカーとして利用する。
【０００３】
いくつかのボールマーカーは、ゴルファーがボールを整合したりストロークを調整したりするのを助ける特徴を具備している。一般に、そのようなマーカーは、長尺の突起の一端に結合されたディスクと、単一の方向に配向された１または複数の視野線すなわち矢印とを含む。使用に際しては、突起をパター表面中へ挿入し、ディスクを回転させて所望のボール経路の方向を指し示すようになす。これらマーカーは整合の単一方向しか示さないので、整合デバイスの向きを繰り返し変え、その都度、後退して方向を目視する。代替的には、プレーヤは複数回ボールを置き直して整合を確認し、例えば、整合マークがボールに含まれるようになす。いずれの場合でも、繰り返し手順を行うので、プレイが遅くなる。
【０００４】
整合機構がより効率的なボールマーカーを提供することが望まれる。
【発明の概要】
【０００５】
この発明は、マーカーを移動させる必要無しに、またボールの有無にかかわらず、ユーザが意図したボールのパスを整合させ、または整合し直すことが可能になるゴルフボールマーカーに向けられている。さらに、この発明は、ボールマーカーを固定したままで、しかも、ゴルフボールを適切に配置したままで、ゴルフボールをゴルフボールの中心の回りに回転させることにより、ボールマーカーの複数の整合マークの少なくとも１つにゴルフボールの整合マークをユーザが整合させることができるようにする。この発明のいくつかの実施例が以下に説明される。
【０００６】
添付図面は明細書との関係で理解され明細書の一部を形成し、添付図面において、類似の参照番号は類似の部分を示す。
【図面の簡単な説明】
【０００７】
【図１】この発明のゴルフボールマーカーの平面図である。
【図２】図１のマーカーの使用状態を説明する模式図である。
【図３】この発明の他の実施例のボールマーカーの平面図である。
【図４】この発明のボールマーカーの平面図である。
【図５Ａ】この発明の実施例の断面図である。
【図５Ｂ】この発明の実施例の断面図である。
【図５Ｃ】この発明の実施例の断面図である。
【図６】第２のボールマーカーを含むゴルフボールマーカーの底面図である。
【図７】この発明の他の実施例のゴルフボールマーカーの平面図である。
【図８】この発明の他の実施例のゴルフボールマーカーの平面図である。
【図９】この発明の他の実施例のゴルフボールマーカーの平面図である。
【図１０】図９の実施例の１０−１０線に沿う断面図である。
【発明を実施するための形態】
【０００８】
この発明はゴルフマーカーに向けられている。この発明のいくつかの実施例が以下に説明される。
【０００９】
１実施例のゴルフボールマーカー１０は、幾何境界形状を具備し上面１４、底面１６（図７に示す）を含む本体１２、弧状ボール位置基準１８と、複数の整合印２０とを含み、これを図１および図２に示す。本体１２は、全体として、四角の周囲形状を伴い、上面１４および底面１６の間を伸びる複数の側壁２２により形成される厚さを有し、堅固な金属性または非金属性材料から構築されてよい。上面１４および底面１６は全体として平坦面である。上面１４は整合印２０を含み、底面１６は安定した接地プラットホームを形成してマーカー１０がパター面に置かれたときに安定するようになっている。本体１２の厚さは、好ましくは０．０５０インチ（０．１２７ｃｍ）から０．２５０インチ（０．６３５ｃｍ）の範囲であり、より好ましくは約０．１２５インチ（０．３１８ｃｍ）である。全体として四角な本体１２の側部の各々の長さは、０．７５インチ（１．９１ｃｍ）から１．５０インチ（３．８１ｃｍ）の範囲であり、好ましくは、約１．００インチ（２．５４ｃｍ）から１．２５インチ（３．１６ｃｍ）の範囲であり、より好ましくは、約１．２０１インチ（３．０５ｃｍ）である。さらに、本体の角およびエッジは好ましくは丸められて、切断面の鋭利な感覚を生じないようにする。好ましくは、角およびエッジは０．０４０インチ（０．１０２ｃｍ）から０．２５０インチ（０．６３５ｃｍ）で丸められる。
【００１０】
この実施例において、本体１２は、弧状の側壁を含んでマーカー１０が弧状側面２４を伴うようになす。弧状側面２４は上面１４と交差して、弧状のボール位置基準１８である弧状のエッジを形成する。弧状側面２４は、上面１４とほぼ直交する円筒面であり、その曲率半径はほぼ０．８４０インチ（２．１３ｃｍ）である。ボール位置基準１８の曲率半径は、好ましくは、０．７５０インチ（１．９１ｃｍ）から０．９７５インチ（２．４８ｃｍ）の範囲である。
【００１１】
ラウンドの間、ユーザはマーカー１０をゴルフボール２のそばに置き、上方から見たときに、弧状のボール位置基準１８がゴルフボール２の外側面の湾曲にほぼマッチし、すなわち、ほぼ平行になるようになっている。マーカーを所与の位置に配置したときに、弧状のボール位置基準の湾曲の中心Ｃはボール２の中心Ｂと垂直方向にほぼ整合する。この結果、ボール位置基準１８によって、ゴルファーは、単にボール２をボール位置基準１８を基準にして配置するだけで、容易かつ正確にゴルフボール２を元の位置に置くことができる。
【００１２】
整合印２０は、上面１４に位置づけられる。この実施例において、整合印２０は、ボール位置基準１８に直角でボール位置基準１８の湾曲の中点Ｃと同心な焦点Ｆから放射する長尺のマーキングである。その配向のために、ボール２をボール位置基準を基準にして配置したときに、上述のとおり、焦点Ｆもゴルフボール２の中点Ｂに垂直方向にほぼ同心になる。好ましくは、整合印は、１°から１０°の間であってよい予め定められた一定の角度で焦点Ｆを中心にして相互に回転させられる。例えば、整合印の各々はつぎの隣接する印に対して５°のような一定角度で回転させられてよい。
【００１３】
整合印２０の長さおよび幅は種々であってよい。例えば、マーカー１０は本体１２の中央部分の長さとほぼ等しい長さの中央印２１；中央印２１と平行で横方向に離間され、本体１２の側面に隣接するオプションの平行印２３；および複数の小さな参照印を含む。好ましくは、中央印および任意の平行印は参照印の約２倍の幅を伴う。例えば、中央印および平行印の幅は約０．０７８インチ（０．１９８ｃｍ）であり、参照印の各々の幅は約０．０３０インチ（０．０７６ｃｍ）である。さらに、中央印および平行印の長さは０．７５０インチ（１．９１ｃｍ）から１．５００インチ（３．８１ｃｍ）の範囲であり、好ましくは、１．０００インチ（２．５４ｃｍ）から１．２５インチ（３．１６ｃｍ）の範囲である。各参照印の長さは好ましくは０．０６３インチ（０．１６０ｃｍ）から０．５００インチ（１．２７ｃｍ）の範囲であり、より好ましくは０．３３０インチ（０．８３８ｃｍ）である。この結果、各参照印の長さは、好ましくは、中央印または平行印の長さの半分より短く、より好ましくは、中央印または平行印の長さの３分の１より短い。
【００１４】
代替的には、整合印は、ドット、文字、またはシンボル、例えば、ダイヤモンド、星、アスタリスク、矢印頭、ダッシュ、三角形、「＄」、「＃」、および／または山形紋（ｃｈｅｖｒｏｎ）の１つまたは複数であってよく、好ましくは、各印は、ボール位置基準１８から直角方向に一定間隔だけ離間される。さらに、整合印はマーカーの上面にペイントで描かれ、また機械加工される。整合印はマーカーの他の部分と異なる材料で象嵌されてよい。他の特徴として、長尺の中央印および／または長尺の平行印は複数のマーク、例えば、ドットおよび／またはシンボルから構成されて良く、これらマークは相互に隣接しまたは重畳する。所望な場合には、印のいくつかまたはすべてがボール位置基準を横断するように配置されてよいことに留意されたい。さらに、印は、本体の多部品積層構造により実現され、本体に含まれる部品は対称的な外観を有する。さらに、印は、ピンまたはネジを本体の一部に貫通させて形成し、または本体の表面に溶接線を含ませて、形成されてよい。
【００１５】
ユーザがマーカー１０を配置してボール２を取り除いた後に、マーカー１０は、遠くから種々のボール経路を目視する明瞭な基準をなす。例えば、図２に模式的に示すように、ユーザは、最初に、中央印２１が当初の配向、例えば、ホール６の方向に整合するように、マーカーを置く。つぎに、ユーザはパター面からボールを取り除き、整合印２０を通じて伸びる複数のボール経路に応じた代替的な位置２６、２８、２９から代替的なボール経路を目視する。焦点の位置のために、これらの経路は全体として適切なボール位置を通じた経路である。ユーザはパター面の輪郭に適したボール経路と対応する印を容易に決定できる。
【００１６】
ユーザのパットの順番が来たときに、ユーザは容易にボールを元の位置に再配置し、ボール２に含まれる整合マーク４を所望の経路に対応する、マーカー１０の印２０に整合させる。最後に、マーカーを取り除き、整合マーク４によって示される所望のボール経路およびパターストロークを伴って、ボールを適切な位置に残す。この発明のマーカーを使用すると、ゴルファーは、マーカーの位置を変更させることなしに、また、ボールを配置し整合を確認するというステップを繰り返すことなしに、容易にボール経路を決定できる。さらに、プレーヤは、他のプレーヤがパッティングしている際に他のプレーヤと緩衝することのない遠方から所望の経路を決定できる。
【００１７】
図３を参照すると、他の実施例のゴルフボールマーカー３０がある。マーカー３０は、全体として湾曲した三日月形状を具備し上面３４、底面を含む本体３２、弧状ボール位置基準３８と、複数の整合印４０とを含む。本体３２の厚さは、上面３４および底面３６の間を伸びる凹んだ弧状側壁４１および出っ張った弧状側壁４２により決定される。先に説明した実施例と同様に、凹んだ弧状側壁４１は全体として上面３４と直交して交差しボール位置基準３８をなす弧状のエッジを形成し、この曲率半径は０．７２５インチ（１．８４ｃｍ）から０．９７５インチ（２．４８ｃｍ）の範囲である。
【００１８】
整合印４０は、ボール位置基準３８に直角でボール位置基準３８の湾曲の中点Ｃと同心な、すなわち、垂直方向に整合した焦点Ｆから放射する長尺のマーキングである。印４０は中央の長尺な印４４と、この中央印４４と交差して十字架を形成する横方向印４６とを含む。
【００１９】
ボールマーカーの本体は任意の幾何境界形状を伴ってよいことに留意されたい。例えば、本体は多角形境界、例えば四角、三角または矩形；湾曲した境界、例えば三日月；または湾曲および多角形境界が結合したものでよい。
【００２０】
弧状のボール位置基準の代替的な構造が図４および図５Ａ−５Ｃを参照して説明される。図５Ａ−５Ｃに示されるように、種々の実施例は異なる構造を具備するけれども、図４に示すように見た目の外観は共通する。全体として、マーカー５０は、幾何形状を具備し上面５４、底面を含む本体５２と、弧状のボール位置基準と複数の整合印６０とを含む。
【００２１】
図５Ａの実施例において、弧状のボール位置基準６２は上面に形成された弧状のマーキングである。例えば、マーキングはペイントされ、および／または、刻印された曲線であってよく、あるいは、マーキングは、上面から本体内に機械加工により伸びるように形成された溝であってよく、これはオプションとしてペイントが充填され、あるいは象嵌される。
【００２２】
他の実施例において、図５Ｂに示すように、弧状のボール位置基準６４はテーパー付けされた弧状の表面６６と上面との間の交差位置に形成された弧状のエッジである。例えば、弧状の表面６６はボールマーカーの本体の上面と交差する錐面または球面であってよい。
【００２３】
他の実施例において、弧状のボール位置基準６８は、図５Ｃに示すように、上面および窪んだ参照面７０の間の肩部７２により形成される弧状のエッジである。図示のとおり、窪んだ参照面７０は本体の側壁と交差するけれども、代替的には、窪んだ面は本体の上面のキャビティを形成し、これがペイントで充填され、または象嵌されて本体の他の部分および／またはボールと区別できるようにする。
【００２４】
ボールマーカーの表面をペイントし、化学処理し、メッキし、テクスチャ処理し、または複数の材料から構築して本体の部分の間および／または本体と隣接するゴルフボールの間の対比を増大させるようにしてよいことに留意されたい。さらに、所望の場合には、整合印をマーカーの上面および底面の双方に形成してよい。異なるマーキングを上面および底面に設けてユーザが容易に上面を底面から容易に区別できるようにしてよく、これは上面および底面が類似の形状を伴う場合に顕著である。例えば、誂えのロゴや他の誂えまたは個人向けにしたマーキングをいずれの面に含ませてもよい。
【００２５】
付加的な特徴として、ボールマーカー１０は、より小さな二次的なボールマーカー８０用のホルダーを実現して良く、これは図６に示す。例えば、二次的なボールマーカー８０は強磁性材料から構築されてよく、マグネット８２が本体１２に一体化されて、ボールマーカー８０を容易に本体に着脱できるようにしてよい。さらに、底面１６から本体１２中へと伸びボールマーカー８０を収容する大きさと形状を有する窪み８４が設けられてボールマーカー８０が収容時に底面１６と面一になるようにしてよい。他の代替例として、第２の窪み８６を窪み８４中に設けて第２の窪み８６に隣接するボールマーカー８０の部分を押すことによりボールマーカー８０をマグネット８２から容易に係合解除するようにしてよい。第２のボールマーカー８０は印および／またはロゴを含んでよい他のマーキングを含んでよい。例えば、第２のボールマーカー８０を誂えてよく、また共通の主たるボールマーカーにすべてフィットする複数の構造の第２のボールマーカーを実現して誂えのボールマーカー１０を小さな製造コストで実現するようにしてよい。
【００２６】
ボールマーカーは、また、収束光源を含んで、マーカーを練習に供するために使用できるようにしてよく、これを図７に示す。ボールマーカー９０は、全体として、上面９４を含む本体９２、ボール位置基準９６、複数の整合印９８、および光の収束光１００を照射する収束光源を含む。例えば、光源はレーザサイト、またはポインタであってよく、マーカーの整合を容易に目視できる。光源に用いる電子部品は本体９２内に収納され、スイッチ１０２が本体９２の任意の面から操作可能でありユーザは簡易に光源をオン・オフできる。この実施例では、スイッチ１０２は上面９４において操作可能であり、オン位置およびオフ位置を往復動できるように構成される。使用中、ユーザはマーカー９０を当初の配向、例えばホールまたは練習カップの方向に整合させ、光ビーム１００を用いてマーカー９０の当初の位置が実際に所望の整合に対応しているかどうかを判別できる。
【００２７】
図８に示すように、ボールマーカー１１０は一体化したビボットツール１１１を含んでよい。全体として、ボールマーカー１１０は、上面１１４を含む本体１１２、ボール位置基準１１６、複数の整合印１１８、およびビボットツール１１１を含む。ビボットツール１１１は、本体１１２の外側境界を超えて伸びる一対の突起１１３を含む。この実施例において、ビボットツール１１１は、本体１１２内に往復動可能に収容されユーザが選択的に突起１１３を本体１１２から伸ばすようになっている。スライド１２０が本体１１２の表面の１つ、例えば、上面１１４に形成され、ユーザは方向Ｄに沿ってビボットツール１１１を出したり、引っ込めたりすることができる。突起１１３の長さを選択して、ビボットツール１１１を引っ込めたときに本体１１２内に完全に収容されるようにする。さらに、スライド１２０の大きさおよび形状を、好ましくは中央印内で往復働してユーザがボールマーカーの整合の間に集中を欠かないようにする。代替的には、ビボットツールは後退可能でなくてよく、例えば、ボールマーカーの本体の側壁から突起が固定的に伸びるようにしてよい。
【００２８】
この発明のボールマーカーは任意の堅固またはやや堅固な金属性または非金属性材料から構築してよい。例えば、ボールマーカーはアルミニウム、ステンレス鋼、炭素鋼、チタン、銀、プラチナ、金、ポリマー材料、ガラス、石、機、その他から製造される。他の代替例として、ボールマーカーは以下に説明するように多材料構造であってよい。この発明のボールマーカーは、機械加工、成型、鋳造、鍛造、焼結、曲げ処理、その他の任意の技術で形成されてよい。さらに、ボールマーカーは、積層構造を形成する複数部品から構築されて良く、これら部品は金属性および／または非金属性材料から構築される。そのような積層構造において、部品は機械的に結合され、例えば、溶接、機械ファスナー、および／または接着剤で結合される。そのような積層構造の少なくとも一対の部品は対照的な外観を有し、この対照的な外観が印を形成する。ボールマーカーは、ユーザの衣料品、例えば、防止、ベルト、ベルトバックルにはさみ止めされ、また一体化された磁気的または機械的なマーカーホルダーに係合するように磁性材料から構築され、また、そのような形状に構成される。
【００２９】
さらに、ボールマーカーは表面処理、テクスチャ、コーティングおよび／またはメッキを含んで腐食耐性や所望の仕上げを実現してよい。例えば、ボールマーカーは１または複数の金属、例えば、金、銀、またはニッケルでメッキされてよく；ボールマーカーは陽極酸化され、色付けされて良く；またボールマーカーはビードブラッシング等のテクスチャ処理を施されてよい。ボールマーカーの表面に含まれる印および／または任意の他のマーキングは、機械加工、刻印、ペイント、および／または印刷により形成できる。さらに、印および／またはマーキングは、ペイントされ、ペイント充填され、印刷され、テクスチャ処理され、コーティングされ、メッキされ、および／またはボールマーカーの他の部分と異なる外観を伴うような処理を施される。さらに、印および／またはマーキングは本体の他の部分と異なる材料、例えば、木、石、金属、貝、反射材料等で象嵌されてよい。
【００３０】
図９および１０を参照して、複数材料構造を含むボールマーカー１３０が説明される。マーカー１３０は全体とし三角形上で上面１３４、底面１３６を含む本体１３２と、弧状のボール位置基準１３８と、複数の整合印１４０とを含む。本体１３２は、凹んだ弧状側壁１４１と一対の平坦な側壁１４２により形成される厚さを有する。平坦な側壁１４２は相対的に角度付けられ、第１の端部で相互に結合する。平坦な側壁１４２の各々の第２の端部は弧状の側壁１４１と連結して平坦な側壁１４１および弧状の側壁１４１が結合して本体１３２の全体として三角形の境界形状を形成する。凹んだ弧状の側壁１４１は、上面１３４および底面１３６と直角であり交差する全体として円筒な表面であり、上面１３４との交差線が、ボール位置基準１３８をなす凹んだ弧状のエッジを形成する。好ましくはボール位置基準１３８の曲率半径は０．７２５インチ（１．８４ｃｍ）から０．９７５インチ（２．４８ｃｍ）の範囲である。
【００３１】
本体１３２は、１または複数のインサートを含ませる等により、密度を異ならせた材料を結合する複数材料構造を伴う。具体的には、第１の密度の材料から構築されたインサート１４８が、第２の密度を材料で構築されたシェル部材１５０に結合される。１実施例において、第１の密度が第２の密度より大きくインサート１４８が錘部材として働くようになっている。例えば、インサート１４８は比較的重い金属、例えば、タングステン−ニッケル、または炭素鋼から構築されて良く、これがポリマー材料、例えば、ポリカーボネートと共成型されてよい。この結果、整合が単純化できるであろう。なぜなら、シェル部材１５０は複雑な幾何形状で、複雑でない幾何形状のインサート１４８を包んで射出成型できるからである。代替的には、第１の密度を第２の密度より小さくしてインサート１４８が比較的重いシェル部材１５０の重量を低減させてよい。
【００３２】
固定部材１５２をボールマーカー１３０に含ませてユーザがボールマーカー１３０をパター面に置いた後にその場にとどまるようにしてもよい。固定部材１５２は、パター面中に伸びるような形状および大きさとされた、１または複数の角、スパイク、突起またはフォークであってよい。この実施例において、固定部材１５２は底面１３６から伸び、テーパー付けされた基部を含むスパイクである。固定部材１５２の長さは好ましくは０．１２５インチ（０．３１８ｃｍ）から０．５００インチ（１．２７ｃｍ）の範囲である。
【００３３】
整合印１４０は、複数の整合した隣接マークを有し中央印１４４を形成する全体として長尺のマーキングと、上面１３４に位置決めされた複数の隣接する参照印１４５とを含む。この実施例では、中央印１４４は複数の整合した象嵌１４６を含む。参照印１４５は、ボール位置基準から離間する複数のドットまたはシンボルである。この実施例では、参照印１４５はボール位置基準１３８から共通の距離だけ離間され、全体として曲線上に整合するようにされ、また、参照印１４５が全体として焦点Ｆから放射するようになし（すなわち、焦点Ｆと各印１４５との間の距離がほぼ等しい）、また、焦点Ｆはボール位置基準１３８の湾曲の中心Ｃとほぼ同心であり、すなわち、垂直に整合している。
【００３４】
ここに開示されたこの発明の事例的な実施例はこの発明の目的を達成するけれども、多くの変更および他の実施例を当業者が工夫することができることは明らかである。１つの実施例の要素が他の実施例に組み込むことができる。したがって、添付の特許請求の範囲はすべてのそのような変更例および実施例をカバーするように意図されており、これらはこの発明の精神および範囲に含まれる。
【符号の説明】
【００３５】
２    ゴルフボール
４    整合マーク
６    ホール
１０    ゴルフボールマーカー
１２    本体
１４    上面
１６    底面
１８    ボール位置基準
２０    整合印
２１    中央印
２２    側壁
２３    平行印
２４    弧状側面
２６、２８、２９    位置
【図１】
2010022820.tif 000003
【図２】
2010022820.tif 000004
【図３】
2010022820.tif 000005
【図４】
2010022820.tif 000006
【図５Ａ】
2010022820.tif 000007
【図５Ｂ】
2010022820.tif 000008
【図５Ｃ】
2010022820.tif 000009
【図６】
2010022820.tif 000010
【図７】
2010022820.tif 000011
【図８】
2010022820.tif 000012
【図９】
2010022820.tif 000013
【図１０】
2010022820.tif 000014